(57)【要約】【課題】複数ある不揮発性メモリに、バッファに蓄積されている画像を含むデータから、それぞれ異なる画像を含むデータを同時に記録することで、見かけ上一つの不揮発性メモリだけに記録させていた時以上の速さで不揮発性メモリに記録し、次の撮影への待ち時間の短縮、連続撮影枚数の増加、有線通信手段、無線通信手段からのデータ転送記録の高速化を実現させ、さらに、撮影装置が複数ある不揮発性メモリを１つと認識することで、従来のデジタルカメラ記録規格を踏襲した記録、再生が可能になる。さらに、１つの記憶媒体に複数の不揮発性記憶領域と、該複数の記憶領域それぞれに同時にデータ転送可能なコネクタを設けることで、安定的に高速記録が実現できるようになる。【解決手段】撮像素子から出力された画像情報を含むデータを格納する第１メモリと、第１メモリからのデータを格納する複数の第２メモリとを有し、前記複数の第２メモリへのデータ格納を並行して行うようにしたことを特徴とする撮影装置。【選択図】        図１
2006174252.tif 000002
【特許請求の範囲】
【請求項１】
撮像素子から出力された画像情報を含むデータを格納する第１メモリと、第１メモリからのデータを格納する複数の第２メモリとを有し、前記複数の第２メモリへのデータ格納を並行して行うようにしたことを特徴とする撮影装置。
【請求項２】
請求項１記載の撮影装置において、複数の第２メモリへは、異なるデータを格納することを特徴とする撮影装置。
【請求項３】
請求項１記載の撮影装置において、第１メモリに格納したデータを処理する処理回路を有したことを特徴とする撮影装置。
【請求項４】
請求項３記載の撮影装置において、処理回路での処理は、少なくとも輝度色信号分離処理、ホワイトバランス処理、画像圧縮処理のいずれかであることを特徴とする撮影装置。
【請求項５】
請求項３記載の撮影装置において、前記処理回路にて処理を施したデータを格納する第３メモリを有し、第２メモリからのデータを、前記複数の第２メモリへの格納処理を並行して行うようにしたことを特徴とする撮影装置。
【請求項６】
請求項５記載の撮影装置において、第２メモリは不揮発性記憶媒体であることを特徴とする撮影装置。
【請求項７】
請求項５記載の撮影装置において、第２メモリは撮影装置に着脱可能に具備されることを特徴とする撮影装置。
【請求項８】
請求項５記載の撮影装置において、第１、第３メモリは同一メモリ上にあることを特徴とする撮影装置。
【請求項９】
通信手段から入力されたデータを格納する第１メモリと、第１メモリに置かれたデータを格納する複数の第２メモリとを有し、前記複数の第２メモリへの格納処理を並行して行うようにしたことを特徴とする撮影装置。
【請求項１０】
請求項９記載の撮影装置において、前記データとは画像情報を含む、音声情報、日付時間、ファイル番号、名前、文字情報のいずれかであることを特徴とする撮影装置。
【請求項１１】
請求項９記載の撮影装置において、第２メモリのメモリ容量、メモリ残量、アクセス状態を検出するメモリ状態検出手段があり、メモリ状態検出結果からデータの格納先を選択する制御手段を有したことを特徴とする撮影装置。
【請求項１２】
請求項９記載の撮影装置において、複数の第２メモリへのデータ格納は、画像データファイルごとに割り振られることを特徴とする撮影装置。
【請求項１３】
請求項９記載の撮影装置において、前記複数の第２メモリのいずれかに、データを記録するのに十分な空き容量が得られない第２のメモリが発生した場合、該空き容量が得られない第２のメモリにデータの格納は行わないことを特徴とする撮影装置。
【請求項１４】
請求項９記載の撮影装置において、前記複数ある第２メモリの数を、実際とは異なる数に認識させる第１のモードがあることを特徴とする撮影装置。
【請求項１５】
請求項１４記載の撮影装置において、前記複数ある第２メモリの数を、１つと認識させる第１のモードがあることを特徴とする撮影装置。
【請求項１６】
請求項１４又は１５記載の撮影装置において、第２メモリの撮影装置への着脱を検出するメモリ着脱検出手段があり、メモリ着脱検出手段により着脱情報が得られると第１モードの解除動作、第１モードへの設定動作、又は警告動作のいずれかを行うことを特徴とする撮影装置。
【請求項１７】
請求項１４乃至１６いずれか記載の撮影装置において、第１モード時、１つとして認識させた複数の第２メモリに対しては、１つの第２メモリに用いる画像記録規格を用いて少なくとも格納、又は再生させることを特徴とする撮影装置。
【請求項１８】
複数の不揮発性記録領域と、該複数の不揮発性記録領域にそれぞれ独立してデータ転送可能なコネクタを一体的に有することを特徴とする記憶媒体。
【発明の詳細な説明】
【技術分野】
【０００１】
本発明は、撮影装置に関して、特に連続撮影により撮影したデータを記録する撮影装置や、通信手段により得たデータを記録する撮影装置に適用される。また前記撮影装置に適応する記憶媒体に関する。
【背景技術】
【０００２】
従来、フラッシュメモリや磁気ディスク等の通電不要でデータを維持できる不揮発性メモリを記録媒体にして、ＣＣＤ等の固体撮像素子で撮影した静止画、動画及びこれら画像情報に添付された音声情報、日付時間、ファイル番号、名前、文字情報を記録する撮影装置が市販されている。これらの撮影装置では、撮像素子からのデータ等を、一旦バッファメモリへ取り込み、該データに画像処理を施した後、画像処理後データを直接不揮発性メモリに格納させるものや、該データに画像処理を施した後、画像処理後データを再度バッファメモリに取り込んだ後に不揮発性メモリに格納させる撮影装置がある。
【０００３】
また、ＣＣＤ等の固体撮像素子からではなく、有線や無線通信手段から得た画像情報を伴うデータを撮影手段が受けて、該画像情報を伴うデータをバッファメモリを介して不揮発性メモリに格納する撮影装置も開示されている。
【特許文献１】特開２００２−１９９３２８号公報
【発明の開示】
【発明が解決しようとする課題】
【０００４】
しかしながら、通常バッファメモリとして用いるキャッシュ、ＶＲＡＭなどの通電を維持しなければデータが失われる揮発性メモリに比べ、データ格納用に用いられるフラッシュメモリや小型磁気ディスクドライブ、さらには記録型Ｃｏｍｐａｃｔ  ＤｉｓｃやＤＶＤなどの通電を維持しなくてもデータが失われない不揮発性記メモリは記録速度が極端に遅い。連続撮影や動画記録などで発生する画像データを含む大容量のデータを不揮発性メモリに格納する場合、不揮発性メモリの記録速度の遅さが撮影装置の撮影待機時間や連続撮影こま数などの記録性能に影響する。
【０００５】
すなわち、撮像素子や通信手段から得られるデータの一時保存先であるところの撮影装置のバッファが一杯になると、撮像素子や通信手段から得られるデータ読み込みは不能になる。連続撮影中であれば連続撮影が途切れることになり、通信手段からのデータ転送中であれば、データ受信が止まることになる。これを回避するためには、バッファ容量を大きくすることで一時的にはデータをバッファに多量に溜め込むことができる。しかしバッファに一時的に蓄積させる画像情報を巨大化させると、不揮発性メモリに記録する時間が膨大に必要になるために、バッファに空き容量が生まれる次の撮影までの待ち時間までが長くなる。
【０００６】
またカメラのような小型携帯機器においては、バッファ容量は固定されているものが主流であり、一般のパーソナルコンピュータのように、バッファの増設のための空きスロットをあらかじめ設けておいたり、バッファ能力を変更できるような着脱可能なバッファを用いること自体が、製品の持ち運びや使い勝手を重要視する大きさの制約から容易ではない。初期設計からバッファ容量を増大させると出荷時コストも上がる。バッファ容量増大に頼らない、不揮発性メモリの記録速度を向上させる別の方法が必要である。
【０００７】
また、特許文献１に示されているように、撮像素子で得た画像情報を不揮発性メモリへ格納するまでの時間短縮の方法として、画像データをバッファに格納しつつ、該バッファに格納されたデータも並行して不揮発性メモリへ記録する方法もある。しかしながら結局は、不揮発性メモリへのデータ記録速度がバッファメモリへのデータ記録速度より極端に遅いため、不揮発性メモリのデータ記録速度が障害となり、連続撮影の待ち時間を長引かせる原因、受信データ記録作業の滞りの原因となっていた。
【０００８】
つまり、撮影装置内のデータ転送速度の最も遅い不揮発性メモリへの記録速度を上げなければ、撮影装置全体として記録速度を上げることが出来ない。そこで本発明では、不揮発性メモリへの画像情報を含むデータ記録速度を向上させることを目的としている。
【０００９】
さらに、不揮発性メモリへのデータ記録速度を安定的に向上させるために、記憶媒体自身の改善も目的にしている。
【課題を解決するための手段】
【００１０】
上記課題を鑑み、本発明では以下に示す構成にすることで課題を解決した。
【００１１】
請求項１の構成にすることで、第２メモリを複数具備させて、複数の第２メモリに並行してデータを格納させて、見かけの第２メモリへの記憶速度を向上させることができた。
【００１２】
請求項２の構成にすることで、異なるデータを複数の第２メモリに分散させて記録させることで、重複するデータを記録させることなく、見かけの第２メモリへの記憶速度を向上させることができた。
【００１３】
請求項３又は４の構成にすることで、第２メモリへ画像を含む情報を格納する前に、輝度色分離処理、ホワイトバランス処理、画像圧縮処理を施すことが可能になった。
【００１４】
請求項５の構成にすることで、画像処理後のデータを一旦第３メモリに格納して、該画像処理後データにまつわる音声や他の文字情報と関連付けて一つの画像データファイルにした後、第２メモリに該画像データファイルを格納することが可能になった。
【００１５】
請求項６の構成にすることで、データ記録速度の遅いフラッシュメモリや磁気ディスクなどの不揮発性メモリの見かけ上のデータ記録速度を向上させることができるようになった。
【００１６】
請求項７の構成にすることで、撮影装置をドライバなどでビスをはずしたりしてばらすことなく、容易に外部から第２メモリの着脱を可能にすることができた。また不揮発性記録媒体は規格化されているものが多く、第２メモリ数の増設設計、使用する第２メモリ自体の記録容量の増加を容易に行うことができる。
【００１７】
請求項８の構成にすることで、同一バッファを用いて撮影画像の展開、付帯情報の添付作業を行うことができるようになった。
【００１８】
請求項９の構成にすることで、ＣＣＤ等の固体撮像素子で得た画像データのみならず、無線や有線通信手段で受信した画像情報を含むデータにおいても、高速に第２メモリへ記録が可能になった。
【００１９】
請求項１０の構成にすることで、画像情報のみならず、該画像情報にまつわる音声情報、日付時間、ファイル番号、名前、文字情報も含めた画像データとして高速に第２メモリへ記録が可能になった。
【００２０】
請求項１１の構成にすることで、複数ある第２メモリの記録中、再生中、休止中といったアクセス状態、メモリ容量、メモリ残量を考慮して、画像データの第２メモリ格納先を選択できるようになった。複数ある第２メモリへの無駄のない確実なデータ格納作業が可能になる。
【００２１】
請求項１２の構成にすることで、１つの画像データファイルを該データファイルより細かいビット単位で複数の第２メモリに分散して格納作業を行うのではなく、１つの画像データファイルごとに１つの第２メモリに格納されるので、仮に複数の第２メモリの１つからデータ読み出し不能になった場合でも、少なくとも他の第２メモリに格納されてある画像データは読み出し可能になる。また、複数ある第２メモリの一つを取り外して、他の機器に接続し、情報を転送する場合においても、もともと１つの画像データファイルごとに１つの第２メモリに格納されるので、問題なく通常の画像データとして使用できる。
【００２２】
請求項１３の構成にすることで、容量不足、もしくは何らかの理由で使用不能になった第２メモリについては、データ格納作業は行わないようにしてデータの滞りを回避して、円滑なデータ格納作業を実現させることができた。
【００２３】
請求項１４又は１５の構成にすることで、複数ある第２メモリの記録時、再生時の管理を、容易に行えることが出来るようになった。
【００２４】
請求項１６の構成にすることで、第１モードの解除動作、設定動作への誘導を自動で行うことが可能になった。さらに第１モード解除、設定の警告、承認も自動で行えるようになった。
【００２５】
請求項１７の構成にすることで、汎用性のあるＣＩＦＦ、ＤＣＦ、ＤＰＯＦなどのデジタルカメラ記録規格での記録も行うことが可能になった。
【００２６】
請求項１８の構成にすることで、書き込み速度や記録容量の異なる様々な第２メモリを組み合わせて本請求を実施することで発生する、特定の第２メモリへの偏った記録や、特定の第２メモリがすぐデータ満杯になるなどの問題を回避できるようになる。すなわち、１つの記憶媒体の中に、同じ不揮発性記憶手段を複数内蔵させておくことで、データ転送速度、記憶容量等をそろえることができる。
【発明の効果】
【００２７】
本発明は以下の提案を実施することで、複数の不揮発性記憶手段に、バッファメモリに蓄積されている記録情報から、異なる情報を同時に記憶させてバッファメモリから不揮発性記憶手段への記録時間短縮を行うことができるようになる。高速連写、動画撮影の不揮発性メモリ記録時間短縮、無線通信受信記録などに対応できるデジタルカメラを提供できる。
【００２８】
また１画像データごとに複数の不揮発性メモリへ格納するようにしているため、片方の不揮発性メモリが引き抜かれても、残っている方の不揮発性メモリに格納された画像データ自体が破壊されることはないし、引き抜かれた方のメモリの画像データも破壊されない。
【００２９】
また複数の不揮発性メモリを一括管理しているため、連続する画像データが複数の不揮発性メモリに分散格納されていたとしても再生時には連続した画像データとして認識されて表示される。
【００３０】
さらに、１つの記憶媒体に複数の記憶領域と、該複数の記憶領域それぞれにデータ転送可能なコネクタを有するようにしたことで、不揮発性記憶媒体のデータ記録速度や記憶容量を揃えることができるようになった。よって本実施例のような記録方法を用いる場合に、複数ある不揮発性メモリ使用に偏りのない、平均的にデータが埋まる、本実施例の記録方法が安定的に持続できる記憶媒体を提供できるようになる。
【発明を実施するための最良の形態】
【００３１】
以下本発明を実施するための最良の形態を、実施例により詳しく説明する。
【実施例】
【００３２】
図１は、本発明の撮影装置を表した電気ブロック図である。
【００３３】
図１の撮影装置は、単独で用いて、該撮影装置の不揮発性記憶手段に画像情報を含むデータを記憶させてもいい。さらに図示の撮影装置複数台を用いて、ＵＳＢ、ＬＡＮ等の有線接続手段を用いて互いに接続して、画像情報を含むデータを転送するようにしてもいい。さらに、無線通信手段を用いて、画像情報を含むデータを転送するようにしてもいい。
【００３４】
図１において、１は被写体からの光を集光させる撮影レンズ、２は撮影手段である。撮影手段は、露光量調節、光情報のアナログ電気信号への切り替え、ノイズ除去、Ａ／Ｄ変換などを行う。撮影手段は、制御手段５によって、変倍、合焦、シャッター、絞りなどの制御動作が行われる。３は通電を解除することで保存されたデータが失われる、いわゆる揮発メモリであるところのバッファメモリである。該撮影手段から得られた画像を伴うデータは、該バッファに記憶領域を確保された第一メモリに一時的に保存され、最終的には通電を解除しても保存されたデータが失われることのない不揮発性メモリに記憶される。バッファ３の第１メモリ領域に記憶された画像情報を含むデータは、あらかじめ撮影装置使用者によって設定された記録条件をもとに、画像処理手段６でホワイトバランス調整処理、輝度色分離処理などが施されて、画像圧縮手段７で画像圧縮された後、再度バッファ３に確保された第３メモリ領域に、画像情報と画像情報に伴う音声情報、日付時間、ファイル番号、名前、文字情報などが関連付けて記憶され、指定の記録先、通信先への情報転送を待つ。第３メモリ領域への画像を伴うデータ転送完了情報が得られると、転送完了したデータの元データが第一メモリ領域から消去される。画像圧縮処理に関しては、撮影装置使用者の記録設定によっては必ずしも画像情報に施されることはない。
【００３５】
例えば、撮影装置内に装着された、複数の不揮発性メモリであるところの第２メモリＡ，Ｂに同時に、画像を伴うデータを格納させる本発明の提案の場合、コネクタ８を通じて第２メモリＡ９、第２メモリＢ１０に、画像処理と画像圧縮（記録条件によるが）が施された画像を伴うデータが格納され、第２メモリへのデータ格納完了情報が検出されると、バッファ３の第３メモリ領域の同格納完了された画像を伴うデータは消去される。
【００３６】
本実施例で開示した第２メモリＡ、Ｂは、撮影装置のコネクタ８と着脱可能なコネクタ部１１を有したフラッシュメモリ等の記憶手段で構成するようにしている。例えばＣｏｍｐａｃｔ  Ｆｌａｓｈカード、Ｓｍａｒｔ  Ｍｅｄｉａ（登録商標）カード、ＳＤカード、Ｍｅｍｏｒｙ  Ｓｔｉｃｋカード、Ｍｉｃｒｏ  Ｄｒｉｖｅカードなどのフラッシュメモリや磁気ディスクのようなものがある。また不図示ではあるが、例えば撮影装置側にＣｏｍｐａｃｔ  ＤｉｓｃやＤＶＤの書き込み手段を設けておいて、記録媒体であるＣｏｍｐａｃｔ  ＤｉｓｃやＤＶＤのディスクを着脱可能な一つの第２メモリと考えても良い。
【００３７】
５は制御手段、１３はデジタル信号をアナログ信号に切り替えるＤＡＣであり、撮像手段で得られた画像情報や、第２メモリＡ、Ｂにある画像情報をアナログ変換した後、ＬＣＤなどの表示手段１４で表示する。また制御手段により適宜作られた文字情報、警告表示等も表示可能である。１５はマイク、１６は録音したアナログ情報をデジタル情報に変換する音声処理手段で、制御手段の制御に合わせて録音を行い音声情報を制御手段を通じてバッファ３の第１メモリ領域に記憶させたり、所定の画像データに添付させる。
【００３８】
１７は撮影装置のメインスイッチ、１８は撮影のためのレリーズスイッチ、１９は外部各種装置と有線通信する場合に用いるコネクタであり、例えばＵＳＢやＩＥＥＥ１３９４やＬＡＮなどがある。本発明の撮影装置を複数台有線接続させて画像情報を伴うデータを転送させたい場合に、不図示の専用ケーブルを用いて該コネクタ１９同士を接続させて用いる。具体的には、例えば撮影に用いた撮影装置自身に接続された第２メモリに画像を伴うデータ記録を行いつつ、あるいはデータ記録を行わずに、有線通信先の撮影装置に接続された第２メモリにデータを記録する場合などで用いる。
【００３９】
２０はスピーカ、２１は外部各種装置と無線通信する場合に用いる無線通信手段であり、例えば無線ＬＡＮ、赤外線無線通信、携帯電話、ＰＨＳ、衛星電話、近距離無線通信などの無線通信手段である。図１では無線通信手段が撮影装置に内蔵されている開示であるが、無線通信手段を接続コネクタを用いて撮影装置に装着する形態であってもよい。４は撮影装置の電源、２２は図２にて後述する、撮影のための各種システムを選択するシステムスイッチ。２３はその他のスイッチ、２４はあらかじめ決められた情報を記録しておくための記憶手段である。
【００４０】
図２は、図１におけるシステムスイッチの詳細である。システムスイッチとは、撮影した画像を伴う情報を、何処に転送し、どうのように処理させるかを選択するスイッチである。例えば図２においては以下のような選択スイッチがある。
【００４１】
第一に、撮影装置が複数有する第２メモリを、従来の撮影装置同様に個別に使用するか、本発明の提案のように一括して使用するか選択する第２メモリモードスイッチがある。従来の個別使用を選択した場合、既知の通り、例えばデータ記録再生時は、選択した一つの第２メモリに対してのみ記録再生が行われる。
【００４２】
一方、本発明の提案する第２メモリ一括使用を選択した場合は、例えばデータ記録再生時は、複数の第２メモリが一つの第２メモリとしてみなされ、記録時には、画像を伴うデータ１ファイル単位ごとに、一つのＣＩＦＦ、ＤＣＦ、ＤＰＯＦなどの記録規格そのもの、あるいはこれに準じる記録規格を用いて、異なるデータが各々複数の第２メモリに同時に記録される。また再生時には、複数の第２メモリを一つの第２メモリとみなして、一つの記録規格に応じたファイル再生を行う。
【００４３】
すなわち、連続撮影した複数の画像が、複数の第２メモリに振り分けられて記録されていても、再生時には記録規格に従ってあたかも一つの第２メモリから再生されるように、撮影順に順番に再生させることが可能である。
【００４４】
第二に、前期第２メモリモードスイッチで第２メモリを従来通り個別使用する場合に、どちらのメモリを優先使用するか選択するための第２メモリ選択スイッチがある。
【００４５】
第三に、撮影装置の使用条件を選択するモードスイッチがある。１こま撮影、連続撮影、動画撮影、再生等が選択できる。
【００４６】
第四に、記録先選択スイッチがある。撮影動作で得られる画像を伴うデータを、何処の第２メモリへ格納するのか選択するためのスイッチである。すなわち、撮影装置自身の不揮発性メモリである第２メモリへ記録するのか、有線接続された相手先の第２メモリへ記録するのか、無線接続された相手先の第２メモリへ記録するのかを選択する。例えば通信相手先が前記第２メモリモードスイッチで一括使用が選択されている場合、通信相手先から受信した情報は、一旦バッファ３に格納された後、異なるデータが各々複数の第２メモリに振り分けられて同時に記録される。
【００４７】
図３は本実施例のメインシーケンスである。メインスイッチが押されると（３００）、各種スイッチの受け付けを開始し（３０１）、スイッチの変化が検出されると（３０２Ｙ）、システムスイッチである場合（３０３Ｙ）、システムスイッチシーケンス（Ｂ）へ飛ぶ。その他スイッチである場合（３０４Ｙ）、変化があったスイッチがメインスイッチであった場合（３０５Ｙ）、シーケンスを終了する（３０８）。各種コネクタ接続に着脱変化があった場合（３０６Ｙ）、着脱情報を記憶手段２４に記憶し（３０９）第２メモリの複数の装着が有る場合は（３１０Ｎ）、（Ａ）に飛び、スイッチの変化検出を再開させる。
【００４８】
一方、第２メモリの複数の装着が無くなった場合、すなわち図１の実施例に関して例えれば、２個装着されていた第２メモリの１個の撮影装置への接続が解除された場合（３１０Ｙ）、第２メモリの一括使用モードになっていた場合は（３１１Ｙ）、第２メモリの個別使用モードへの変更を自動で行い、該変更情報を記憶手段２４へ記憶して（３１３）、（Ａ）に飛ぶ。第２メモリが個別使用モードに設定されている場合は（３１１Ｎ）、そのまま（Ａ）に飛び、スイッチの変化検出を再開させる。スイッチ変化がレリーズスイッチである場合（３０７Ｙ）、モードスイッチによる選択モード（１こま撮影、連続撮影、動画撮影）に応じた処理を実行する（３１４）。
【００４９】
本実施例では、本発明の効果を説明する上での簡便のため、レリーズスイッチＯＮ時のフローチャート説明は、連続撮影モード設定時の場合に限定する。再生モードに設定されている場合は、レリーズスイッチ変化は読みにいかない設定になっているため（３１５）へ飛ぶ。レリーズスイッチの押圧が無い場合は（３０７Ｎ）再び（Ａ）へ戻り、スイッチの変化検出を再開する。
【００５０】
図４は、システムスイッチのフローチャートである。図３のステップ（３０３）で、システムスイッチの変化を検出すると図４の（Ｂ）へ入る（４０１）。
【００５１】
第２メモリモードスイッチである場合（４０２Ｙ）、複数存在する第２メモリを一つづつ単独で使用する個別使用モードか、本発明の提案のように複数存在する第２メモリを一つの第２メモリとして使用する一括使用モードかを判定する（４０３）。個別使用であれば（４０３：個別使用）、個別使用を記憶手段２４に記憶し直して（４０４）、図３の（Ａ）に飛ぶ。一方、一括使用の場合は（４０３：一括使用）、撮影装置に使用可能な第２メモリが複数装着されていることを確認して（４０５）、確認できれば（４０５Ｙ）、記憶手段に一括使用を記憶手段２４に記憶し直して（４０６）、図３の（Ａ）へ飛ぶ。逆に、撮影装置に使用可能な第２メモリが複数装着されていることが確認できなければ、図１の表示手段１４やスピーカ２０等で一括使用が出来ないことを表示して、自動的に個別使用を選択して図３の（Ａ）へ飛ぶ。
【００５２】
第２メモリ選択スイッチに変化があった場合（４０８Ｙ）、このスイッチは第２メモリを個別使用している場合に変化を受け付けるが、第２メモリＡの場合は（４０９：Ａ）、記憶手段に第２メモリＡ使用を記憶手段２４に記憶し直して（４１０）、図３の（Ａ）へ飛ぶ。逆に第２メモリＢの場合は（４０９：Ｂ）、記憶手段に第２メモリＢ使用を記憶手段２４に記憶し直して（４１１）、図３の（Ａ）へ飛ぶ。
【００５３】
モードスイッチに変化があった場合（４１２）、１こま撮影モードであれば（４１３Ｙ）、記憶手段に１こま撮影モードを記憶手段２４に記憶し直して（４１４）、図３の（Ａ）へ飛ぶ。連続撮影モードであれば（４１５Ｙ）、記憶手段に連続撮影モードを記憶手段２４に記憶し直して（４１６）、図３の（Ａ）へ飛ぶ。動画撮影モードであれば（４１７Ｙ）、記憶手段に動画撮影モードを記憶手段２４に記憶し直して（４１８）、図３の（Ａ）へ飛ぶ。再生モードであれば（４１７：再生）、記憶手段に再生モードを記憶手段２４に記憶し直して（４１９）、図５の再生処理フローチャート（Ｄ）へ飛ぶ。
【００５４】
記録先選択スイッチに変化があった場合（４２０）、データ記録先登録が撮影装置に接続された第２メモリであれば（４２１Ｙ）、第２メモリを記録先として記憶手段２４に記憶し直した後（４２２）、有線通信手段への記録先登録が無いか確かめる（４２３）。データ記録先登録が有線通信手段であれば（４２３Ｙ）、有線通信手段を記録先として記憶手段２４に記憶し直した後（４２４）、無線通信手段への記録先登録が無いか確かめる（４２４）。データ記録先登録が無線通信手段であれば（４２５Ｙ）、無線通信手段を記録先として記憶手段２４に記憶し直した後（４２６）、図３の（Ａ）へ飛ぶ。
【００５５】
上記の通り本発明では、撮影後の画像を含むデータの記録先を単独もしくは重複して選択することが可能である。例えば、撮影を実際に行う撮影装置に接続された第２メモリだけに記録するようにしても構わないし、自身の第２メモリと、有線通信先のＤＶＤ等の第２メモリの複数に対して同時に記録させても構わない。無線・有線接続先の撮影装置が、本発明で提案する第２メモリの一括使用モードを選択していると、無線・有線接続先から転送されてきたデータが一旦バッファに蓄積された後、第２メモリの一括使用モードによる複数第２メモリに対する同時異種情報記録を開始することになる。
【００５６】
図５に再生処理のフローチャートを示す。図３のステップ（３１５Ｙ）で再生モードスイッチが押されると、再生処理フローチャート（Ｄ）に入る（５００）。第２メモリを本実施例の提案の一括使用モードに登録されているか記憶手段２４で確認を行い（５０１）、一括使用モードであれば、記憶媒体である第２メモリが装着されているか確認する（５０２）。第２メモリの装着が無い場合（５０２Ｎ）、スピーカ２０や表示手段１４で、使用者に記憶媒体の装着が無いことの警告を行い（５０３）、図３の（Ａ）に飛びスイッチ変化検出を再開する。記憶媒体である第２メモリが装着されている場合（５０２Ｙ）、複数ある第２メモリを一括認識させる（５０４）。記憶媒体である第２メモリに画像を含むデータがある場合（５０５Ｙ）、所定のデジタルファイル記録規格に準拠させて、画像を含むデータを認識させる（５０７）。すなわち、１つの画像データを１塊として、複数の第２メモリに分散して記録されている画像データを、例えば連続撮影画像であれば、複数の第２メモリから撮影された順番に画像データを認識させる。
【００５７】
また、複数の第２メモリを一括認識させた場合、同じ名前のファイルが複数の第２メモリに存在する可能性もあるが、記録されている第２メモリの違いを識別項目にして、ファイル名はそのままで使用しても構わないし、ファイル名を変更するようにしても構わない。複数の第２メモリに格納されたデータ認識後、最新の画像を含むデータの表示を開始させる（５１２）。一方、記憶媒体である第２メモリにデータが無い場合（５０５Ｎ）、表示させるデータが無いことを警告し（５０６）、図３の（Ａ）に飛びスイッチ変化検出を再開する。
【００５８】
第２メモリの一括使用を行わない従来の単独使用モードの場合（５０１Ｎ）、指定された第２メモリコネクタに第２メモリが装着されているか検出し（５０８）、第２メモリが無ければ（５０８Ｎ）、第２メモリの装着が無いことを警告し（５０９）、図３（Ａ）に飛ぶ。指定された第２メモリの装着が有れば（５０８Ｙ），該第２メモリに表示可能なデータが存在するか確認を行い（５１０）、データが無い場合は（５１０Ｎ）、表示可能なデータが無いことを警告し（５１１）、図３（Ａ）に飛ぶ。表示可能なデータが有る場合は（５１０Ｙ）、該データ中で最新のものを表示する（５１２）。
【００５９】
表示された最新の画像を含むデータを変更したい場合、データ送りスイッチで切替える（５１３）。前送りのスイッチが押された場合（５１３：前）、現在が最新データであるため、逆に最も古いデータを選出して表示する（５１４）。後送りのスイッチが押された場合（５１３：後）、最新のデータからひとつ古いデータに戻って表示する（５１５）。また、表示されている画像が動画である場合は、動画表示中に再生スイッチが押されると（５１６Ｙ）、動画再生を行い（５１７）、再生後に動画先頭の静止画表示に切り替わって表示を続ける。モードスイッチが、１こま撮影、連続撮影、動画撮影などの再生モード以外のモードに切替えられた場合、第２メモリのデータ再生表示を終了して（５１９）、図４（Ｅ）に飛び、モードスイッチ変化検出を行う。一方、再生モードスイッチが維持されておれば（５１８Ｎ）、メインスイッチがＯＮされていることを確認し（５２０）、ＯＮが維持されていれば（５２０：ＯＮ）、再生表示を維持したままデータ選択ＳＷ変化検出を行う。メインスイッチがＯＦＦされれば（５２０：ＯＦＦ）、主電源を落とし、必然的に再生表示も終了することになる（５２１）。
【００６０】
図６に連続撮影処理のフローチャートを示す。本実施例では、撮影装置が連続撮影モードで、かつ撮影装置自身に接続された複数の第２メモリを一括使用して画像を含むデータを格納する例を解説する。連続撮影処理図３のステップ（３１４）にて、連続撮影処理命令が呼び出されると、まず記録媒体である複数の第２メモリＡ９、第２メモリＢ１０の空き容量が撮影処理に対して充分あるかどうかを検査する（６０２）。この検査の詳細については後述する。
【００６１】
第２メモリの空き容量が充分でない場合（６０２Ｎ）、すなわち、複数の第２メモリを一つの第２メモリとして認識しているため、複数の第２メモリを合わせた空き容量が充分でない場合、すでにバッファ３の第三メモリ領域に格納されている処理済の画像を含むデータに対して、新たに処理された画像データを上書きしないように音声や表示で警告表示を行い（６０３）、連続撮影処理停止フラグを立てて（６０４）、連続撮影処理を停止する。
【００６２】
第２メモリの空き容量が充分ある場合（６０２Ｙ）、バッファ３の第一メモリ領域上に、これから撮影処理を行う撮影処理によって出力データを格納するのに充分な空き容量があるかを検査する（６０５）。
【００６３】
バッファ３の第一メモリ領域上に、撮影処理による出力画像データを格納するのに十分な空き容量がある場合は（６０５Ｙ）、後述する撮影処理を開始する（６０６）。一方、第一メモリ領域上に十分な空き容量が存在しない場合は、既に第一メモリ領域に格納されている画像を含むデータに撮像手段２の撮像素子から新たに出力された画像を含むデータを上書きしないように撮影処理を中止し、音声や表示で警告表示を行い（６０３）、連続撮影処理停止フラグを立てて（６０４）、連続撮影処理を停止する。
【００６４】
上記図６のステップ（６０５Ｎ）、（６０３）、（６０４）の流れのように連続撮影処理を停止させないで、ステップ（６０５Ｎ）にて第一メモリ領域が空くまで待ち、第一メモリ領域が空いた時点で撮影処理を行う（６０６）ようにしても全く構わない。この場合、第一メモリ領域が満杯時に連続撮影が一旦途切れて待ち時間が発生し、第一メモリ領域に撮影に十分な空き容量が発生すると再度連続撮影を再開することになる。本発明では、連続撮影の解説をわかりやすくするために、あくまでも連続撮影が途切れることのない、連続撮影が途切れた時点で連続撮影を終了する図６のステップ（６０５Ｎ）、（６０３）、（６０４）の流れを進むようにした。
【００６５】
撮影処理の内容については、図７を用いて後述する。撮影処理の完了待ち（６０７）、撮影処理が完了したら（６０７Ｙ）、撮影処理により出力された画像データ部について現像圧縮処理キューへの登録を行う（６０８）。このとき、バッファ３の第一メモリ領域上で、撮影処理により出力されたデータが格納されている領域について、使用中であるという情報を記憶手段２４に記憶しておく。
【００６６】
次に、連続現像圧縮処理が動作中であるかどうかを調べ（６０９）、動作していなければ（６０９Ｎ）、連続現像圧縮処理を起動する（６１０）。連続現像圧縮処理の詳細に関しては図９にて後述する。
【００６７】
図７は、図６のステップ（６０６）で起動される撮影処理フローチャートを示す。
【００６８】
撮影処理においては、制御手段５、撮影手段２、バッファ３の間で行われる。
【００６９】
撮影処理が開始されると（７０１）、具体的には、レンズが不図示の測距手段から得た被写体距離情報をもとに、被写体に対して焦点を結ぶ位置までレンズ駆動手段を用いて駆動させた後、絞りを所望の位置まで開放する。
【００７０】
制御手段５は、ＣＣＤの電荷クリアを行った後（７０２）、ＣＣＤの電荷蓄積を開始し（７０３）、不図示のＡＥ手段から得た被写体輝度情報をもとにシャッターを所望時間開き、撮像素子であるＣＣＤに露光を開始する（７０４）。所望時間経過後、シャッターを閉じてＣＣＤの露光を終了する。
【００７１】
設定した電荷蓄積時間が経過したならば、制御手段５は、ＣＣＤの電荷蓄積を終了させた後（７０５）、ＣＣＤから電荷信号を読み出し、Ａ／Ｄ変換を経て、バッファ３の所定領域への画像を含むデータの格納を行う（７０６）。
【００７２】
そして、画像を含むデータの格納の完了が通知されたならば、撮影処理ルーチンを終了する（７０７）。
【００７３】
図８は現像圧縮処理フローチャートである。現像圧縮処理が起動すると（８０１）、制御手段５は、まずバッファ３の第一メモリ領域から撮影データを読み出す（８０２）。次にＷＢ（ホワイトバランス）演算を行い（８０３）、輝度色差データへ変換する処理を行い（８０４）、この結果に対して設定された圧縮処理施し（８０５）、バッファ３の第三メモリ領域へ書き込み（８０６）、書き込み終わったら完了を通知する（８０７）。
【００７４】
図９に連続現像圧縮処理のフローチャートを説明する。連続現像圧縮処理が起動すると（９０１）、制御手段５は、まず現像キューに登録されているデータが有るかどうかチェックする（９０２）。現像キューに登録されているデータが無ければ（９０２Ｎ）、連続現像処理停止フラグを調べ（９０３）、このフラグが立っていなければ（９０３：ＯＦＦ）、現像キューチェックを繰り返す（９０２）。連続現像処理停止フラグが立っていれば（９０３Ｙ）、記録媒体である第２メモリへの書き込み処理が動作中であるか調べ（９０４）、動作中でなければ（９０４Ｎ）、第２メモリへの書き込み処理を起動し（９０５）、連続現像処理を停止する（９０６）。記録媒体である第２メモリへの書き込み処理については図１０を用いて後述する。
【００７５】
現像キューに登録されているデータがある場合（９０２Ｙ）、既にバッファ３の第三メモリ領域に格納されている処理済の画像データに対して新たに処理された処理された画像データを上書きしないように第三メモリ領域の空き容量が現像圧縮処理により出力されるデータの容量より大きいかどうかを調べる（９０７）。空き容量が無ければ（９０７Ｎ）、記録媒体である複数の第２メモリへの書き込みが全て動作中であるか調べて（９０８）、全て動作中でなければ（９０８Ｎ）、空き容量のある第２メモリを選択して書き込み処理を起動し（９０９）、バッファ３の第三メモリの空き容量チェック（９０７）へ戻る。これを繰り返している間に、記録媒体である第２メモリへの書き込み処理によりバッファ３の第三メモリの空き容量が増加するので（詳細は図１０を用いて後述する）、バッファ３の第三メモリ領域の空き容量が確保できるようになり（９０７Ｙ）、次に図８で説明した現像圧縮処理をスタートする（９１０）。
【００７６】
現像圧縮処理の完了を待ち（９１１）、出力データを記録媒体書き込みキューへ登録する（９１２）。この時、バッファ３の第三メモリ領域上で、現像圧縮処理により出力されたデータが格納されている領域について、使用中であるという情報を記憶手段２４上に保持する。
【００７７】
また、現像圧縮処理へ入力した、バッファ３の第一メモリ領域上の画像を含むデータが格納されている領域について、その領域上の画像を含むデータが使用中であるという情報を制御手段５によって記憶手段２４上から削除する。
【００７８】
そして、現像キューに登録されていた現像圧縮処理済みデータを現像キューから削除する（９１３）。
【００７９】
この後、記録媒体である第２メモリへの書き込み処理が動作しているかを検査し（９１４）、書き込み処理が動作していなければ（９１４Ｎ）、記録媒体である第２メモリへの書き込み処理を起動する（９１５）。そして再度処理を繰り返す。
【００８０】
図１０に記録媒体書き込み処理のフローチャートを示す。記録媒体への書き込み処理が開始されると（１００１）、制御手段５は、初めに記録媒体書き込みキューに登録されているデータがあるかどうかをチェックする（１００２）、記録媒体書き込みキューに登録されているデータが無ければ（１００２Ｎ）、記録媒体書き込み処理を停止する（１００３）。記録媒体書き込むキューに登録されているデータがある場合は（１００２Ｙ）、記録媒体である複数の第２メモリの記録状態を検出する（１００４）。複数の第２メモリの記録動作状態と、複数の第２メモリの残メモリ容量を検出して、どの第２メモリに書き込みを行えるのかの選択を行う（１００５）。そして選択された記憶媒体である第２メモリに、画像を含むデータを記録する（１００６）。書き込みが終了すると、記録媒体書き込みキューに登録されていた書き込み済みデータを記録媒体書き込みキューから削除する（１００７）。またこの時、記録媒体へ書き込んだ、バッファ３の第三メモリ領域上の、現像圧縮データが格納されている領域について、使用中であるという情報を制御手段５によって記憶手段２４上から削除する。
【００８１】
以上説明したフローを実行した際のタイミングチャートの例を図１１に示す。図１１は５枚の連続撮影を行った場合のタイミングチャートである。
【００８２】
図１１（Ａ）は、記録媒体である第２メモリを従来例のように単独使用した場合のタイミングチャートである。レリーズスイッチがＯＮされた（ｔ１）ことにより、撮影処理が開始される（ｔ２）。１枚撮影後（ｔ３）、現像圧縮処理が開始される（ｔ４）。１枚目の現像圧縮処理が完了すると（ｔ５）、記録媒体である第２メモリ１つへの書き込みを開始する（ｔ６）。５枚目の撮影中にレリーズスイッチがＯＦＦされたため（ｔ７）、撮影処理は５枚で停止する（ｔ８）。記録媒体である第２メモリへのデータ書き込み処理時間は、バッファメモリを用いる撮影処理時間や現像圧縮処理時間に比較して極めて遅いため、図１１（Ａ）の書き込み処理に示すように、大幅に遅れた時間後に書き込み処理を終了する（ｔ９）。
【００８３】
以上説明したように、特許文献１に示されたデータ書き込み方式を採用すると、バッファメモリを用いている段階では処理が早いが、データ転送速度の最も遅い不揮発性メモリである第２メモリ記録の段階で遅くなってしまう。
【００８４】
図１１（Ｂ）は、記録媒体である複数の第２メモリを、本発明のように一括使用した場合のタイミングチャートである。現像圧縮処理自体は図１１（Ａ）と同じである。第２メモリＡ、Ｂ共にデータ記録に十分な空き容量が確保されているものとする。１枚目（Ａ１）の現像圧縮処理が完了した時点で（ｔ５）、まず記録先である第２メモリＡに、１枚目現像圧縮処理後の画像を含むデータをまとめて記録する（ｔ６）。引き続き、２枚目（Ａ２）の現像圧縮処理が完了した時点で（ｔ９）、第２メモリＡがまだ１枚目データを記録中であるため、待機状態である第２メモリＢを記録先に選択して、２枚目現像圧縮処理後の画像を含むデータをまとめて記録する（ｔ１０）。
【００８５】
以上にように、１枚撮影した画像を含むデータを一度に記録するための１つの単位として、既存のＣＩＦＦ、ＤＣＦ、ＤＰＯＦなどのデジタルカメラ記録規格を用いて、複数の第２メモリに分散させて、同時に異なるデータを記録するようにしている。図１１（Ｂ）の書き込み処理Ａ／Ｂに開示したように、上記記録方法を用いることで、第２メモリの片側だけを撮影装置から抜き取って、他の再生記録装置に装着した場合でも、画像を含むデータが１画像単位ごとに格納されているために、画像を含むデータが破壊されることなく抜き取った第２メモリから読み出しできる。記録媒体である第２メモリへのデータ書き込み処理時間は、バッファメモリを用いる撮影処理時間や現像圧縮処理時間に比較して極めて遅い。図１１（Ｂ）の書き込み処理に示すように、複数の第２メモリを用いて同時に記録したため、１つの第２メモリだけに記録した図１１（Ａ）に比べて書き込み処理終了時間は減少し（ｔ１１）、図１１（Ａ）と図１１（Ｂ）との差はＴ１となる。
【００８６】
図１２はレリーズスイッチＯＮ継続連続撮影を行った場合のタイミングチャートである。
【００８７】
本発明の効果をわかり易くするため、１枚撮影後の画像を含むデータは毎回同じデータ量とする。また、撮影処理に用いるバッファの第１メモリ領域と、現像圧縮処理後に用いるバッファの第３メモリ領域は、それぞれ５枚分の画像を含むデータを格納できる容量が確保されているものとする。また、簡便のため、バッファの記録速度は第２メモリの記録速度に比べておおよそ２．５倍とする。さらに第１メモリ領域、第３メモリ領域を１回目に満たす撮影こまを１順目（１〜５枚目までを順にＡ１〜Ａ５）、２回目に満たすこまを２順目（６〜１０枚目までをＢ１〜Ｂ５）、以下同様に命名することにする。
【００８８】
図１２（Ａ）は、記録媒体である第２メモリを従来例のように単独使用した場合のタイミングチャートである。レリーズスイッチがＯＮされた（ｔ１）ことにより、撮影処理が開始される（ｔ２）。１枚撮影後（ｔ３）、現像圧縮処理が開始される（ｔ４）。１枚目の現像圧縮処理が完了すると（ｔ５）、記録媒体である第２メモリ１つへの書き込みを開始する（ｔ６）。
【００８９】
レリーズスイッチはＯＮしたままであるため、撮影処理はバッファの第１メモリ領域が満杯になる５枚目（Ａ１〜Ａ５）まで一気に連続撮影処理を行う。また同時に、第１メモリ領域からは現像圧縮処理が完了した画像を含むデータが順番に消去可能になっていくので、空いた第１メモリの領域に、一順目から撮影装置が待機することなく二順目の（Ｂ１〜Ｂ５）が書き込まれることになる。
【００９０】
第３メモリ領域は上記の通り、５枚分の画像を含むデータを格納可能であるため、第１メモリ領域に画像を含むデータが発生する度に、第３メモリに１枚分の空きを確認して、現像圧縮処理を行い最大５枚分の画像を第２メモリに格納されるまで格納する。記録媒体である一つの第２メモリに、１枚目のデータ（Ａ１）が記録完了すると（ｔ１２）、既に１枚目から５枚目（Ａ１〜Ａ５）まで格納済みの第３メモリ領域に格納されていた１枚目のデータ（Ａ１）が消去可能になり、空いた第３メモリの領域に二順目の（Ｂ１）が書き込まれることになる。
【００９１】
２順目となる（Ｂ１）の現像圧縮処理が完了すると（ｔ１３）、（ｔ１３）の時点で、第２メモリは（Ａ２）を記録中であり、第３メモリ領域上の（Ａ２）データを消去する訳にはいかない。すなわち、第３メモリ領域は画像を含むデータ５枚分の容量しかないため（上記本実施例の特徴をわかりやすくするための前提条件）、（Ａ２）が第２メモリへ記録完了するまでの間、第３メモリ領域で待ち時間が発生する。（Ａ２）の第２メモリへの記録が完了すると（ｔ１４）、第３メモリ領域の（Ａ２）データが消去可能になるため、第１メモリ領域から（Ｂ２）データの現像圧縮処理を開始する（ｔ１５）。
【００９２】
同じように、第２メモリへの記録が終了して、第３メモリ領域に１画像データ分の空き容量が生まれる度に、第１メモリ領域から１画像データごとに現像圧縮処理が行われる。撮影処理が２順目を終えた時点で（ｔ１６）、第２メモリは、（Ａ３）までの記録を完了しているので、第３メモリ領域は用済みの（Ａ３）１画像データ分の空き容量を確保しつつ、（Ａ４）（Ａ５）（Ｂ１）（Ｂ２）までの４画像データを現像圧縮済みで格納している。よって第１メモリ領域では、（ｔ１６）時点で（Ｂ１）（Ｂ２）２枚分のデータは既に現像圧縮処理済みデータとして第３メモリ領域に格納されているので、さらに２枚分（Ｃ１）（Ｃ２）の画像データの連続撮影が、撮影装置の待機時間無しで可能になる。
【００９３】
連続撮影処理が３順目に入り、（Ｃ２）まで撮影処理が完了すると（ｔ１７）、（ｔ１７）時点で、第２メモリは（Ａ４）の記録中であり、必然的に第３メモリ領域は（Ａ４）（Ａ５）（Ｂ１）（Ｂ２）（Ｂ３）の５つの画像データを格納させておく必要がある。つまり（ｔ１７）時点で第１メモリ領域では（Ｃ２）（Ｃ１）（Ｂ５）（Ｂ４）の４画像データは格納させたまま（Ｂ３）の１画像データ分の空きしか無いことになる。よって、さらに１枚分（Ｃ３）の画像データの連続撮影が、撮影装置の待機時間無しで可能になる。
【００９４】
連続撮影処理が３順目に入り、（Ｃ３）まで撮影処理が完了すると（ｔ１８）、（ｔ１８）時点で、第２メモリは（Ａ５）の記録中であり、必然的に第３メモリ領域は（Ａ５）（Ｂ１）（Ｂ２）（Ｂ３）（Ｂ４）の５つの画像データを格納させておく必要がある。しかしながら第３メモリ領域は、（Ｂ４）データを第１メモリ領域から現像圧縮処理を行って（Ｂ４）データを格納させている最中であるため、（ｔ１８）時点では、第１メモリ領域は（Ｃ３）（Ｃ２）（Ｃ１）（Ｂ５）（Ｂ４）データを格納させておく必要がある。よって第１メモリ領域は（ｔ１８）時点で確保された記憶容量が一杯になる。故にこの（ｔ１８）時点で、第１メモリ領域のメモリ一杯の情報が制御手段へ伝えられ、レリーズスイッチがＯＮされていたとしても連続撮影処理が停止する。
【００９５】
本発明では、図６のステップ（６０５）で説明したように、発明の効果を理解しやすいようにするため、あくまでも連続撮影駒間の待ち時間のばらつきが無いシーケンスを採用した。連続撮影時の駒間の待ち時間のばらつきや待ち時間を許すのであれば、第１メモリ領域で１画像データ分の空き容量が発生するまで撮影装置を待機させ、１画像データ分の空き容量が発生した時点でなをレリーズスイッチがＯＮされ続けておれば、そのまま連続撮影するようにしても構わない。
【００９６】
（ｔ１８）時点で撮影処理は終了するが、第３メモリ領域への現像圧縮処理、第２メモリへの書き込み処理は続行される。（ｔ１９）時点で第２メモリへの画像書き込み処理が終了する。
【００９７】
以上説明したように、単純に５枚の連続撮影を行っただけでも、第２メモリを単独使用した図１１（Ａ）に比べて、第２メモリを一括使用した図１１（Ｂ）の方が、Ｔ１だけ早く記録媒体である第２メモリへの連続撮影データ記録を完了することができる。すなわち、次の連続撮影への待機時間を短縮することができる。
【００９８】
図１２（Ｂ）は、記録媒体である複数の第２メモリを本実施例のように一括使用した場合のタイミングチャートである。レリーズスイッチがＯＮされた（ｔ１）ことにより、撮影処理が開始される（ｔ２）。１枚撮影後（ｔ３）、現像圧縮処理が開始される（ｔ４）。１枚目の現像圧縮処理が完了すると（ｔ５）、記録媒体である第２メモリＡへの書き込みを開始する（ｔ６）。
【００９９】
レリーズスイッチはＯＮしたままであるため、撮影処理はバッファの第１メモリ領域が満杯になる５枚目（Ａ１〜Ａ５）まで一気に連続撮影処理を行う。また同時に、第１メモリ領域からは現像圧縮処理が完了した画像を含むデータが順番に消去可能になっていくので、空いた第１メモリの領域に、一順目から撮影装置が待機することなく二順目の（Ｂ１〜Ｂ５）が書き込まれることになる。
【０１００】
第３メモリ領域は上記の通り、５枚分の画像を含むデータを格納可能であるため、第１メモリ領域に画像を含むデータが発生する度に、第３メモリに１枚分の空きを確認して、現像圧縮処理を行い最大５枚分の画像を第２メモリに格納されるまで格納する。第３メモリ領域に（Ａ２）データの現像圧縮処理が完了すると（ｔ２０）、記録媒体であるもうひとつの第２メモリＢに、２枚目のデータ（Ａ２）の記録を開始する。１枚目のデータ（Ａ１）が記録完了すると（ｔ１２）、引き続き３枚目データ（Ａ３）が第２メモリＡに記録開始される。既に１枚目から５枚目（Ａ１〜Ａ５）まで格納済みの第３メモリ領域に格納されていた１枚目のデータ（Ａ１）が消去可能になり、空いた第３メモリの領域に二順目の（Ｂ１）が書き込まれることになる。
【０１０１】
３順目となる（Ｃ１）の現像圧縮処理が完了すると（ｔ２０）、（ｔ２０）の時点で、第２メモリＡは（Ｂ２）を、第２メモリＢは（Ｂ３）を記録中であり、第３メモリ領域上の（Ｂ２）（Ｂ３）データを消去する訳にはいかない。すなわち、第３メモリ領域は画像を含むデータ５枚分の容量しかないため、（Ｂ２）が第２メモリＡへ記録完了するまでの間、第３メモリ領域で待ち時間が発生する。（Ｂ２）の第２メモリＡへの記録が完了すると（ｔ２２）、第３メモリ領域の（Ｂ２）データが消去可能になるため、第１メモリ領域から（Ｃ２）データの現像圧縮処理を開始する（ｔ２３）。
【０１０２】
連続撮影処理が５順目に入り、（Ｅ４）まで撮影処理が完了すると（ｔ２４）、（ｔ２４）時点で、第２メモリＡは（Ｄ２）の記録中であり、第２メモリＢは（Ｄ１）の記録中である。必然的に第３メモリ領域は（Ｄ１）（Ｄ２）（Ｄ３）（Ｄ４）（Ｄ５）の５つの画像データを格納させておく必要がある、また同時に（Ｄ５）データの取得中でもある。つまり（ｔ２４）時点で第１メモリ領域では（Ｅ４）（Ｅ３）（Ｅ２）（Ｅ１）（Ｄ５）の５画像データは格納させたまま（Ｄ５）データを第３メモリ領域に現像圧縮処理を継続させている。よって第１メモリ領域は（ｔ２４）時点で確保された記憶容量が一杯になる。故にこの（ｔ２４）時点で、第１メモリ領域のメモリ一杯の情報が制御手段へ伝えられ、レリーズスイッチがＯＮされていたとしても連続撮影処理が停止する。
【０１０３】
本発明では、図６のステップ（６０５）で説明したように、発明の効果を理解しやすいようにするため、あくまでも連続撮影駒間の待ち時間のばらつきが無いシーケンスを採用した。連続撮影時の駒間の待ち時間のばらつきや待ち時間を許すのであれば、第１メモリ領域で１画像データ分の空き容量が発生するまで撮影装置を待機させ、１画像データ分の空き容量が発生した時点でレリーズスイッチがＯＮされ続けておれば、そのまま連続撮影するようにしても構わない。
【０１０４】
（ｔ２４）時点で撮影処理は終了するが、第３メモリ領域への現像圧縮処理、第２メモリＡ，Ｂへの書き込み処理は続行される。（ｔ２５）時点で第２メモリＡ，Ｂへの画像書き込み処理が終了する。
【０１０５】
以上説明したように、レリーズスイッチＯＮしたままでの連続撮影を行うと、第２メモリを単独使用した図１２（Ａ）に比べて、第２メモリを一括使用した図１２（Ｂ）の方が、Ｔ２だけ早く記録媒体である第２メモリへの連続撮影データ記録を完了することができる。しかも、第２メモリを単独使用した図１２（Ａ）に比べて、第２メモリを一括使用した図１２（Ｂ）の方が、多い枚数連続撮影することができる。図１２で説明上設定した条件では、図１２（Ａ）は１３枚なのに対して、図１２（Ｂ）は２４枚もの連続撮影が可能になる。
【０１０６】
図１３は、本発明の応用例を示した電気ブロック図である。上記実施例では、複数ある第２メモリを用いていたが、本応用例では、一つの着脱可能な不揮発性記憶手段である第２メモリ２５の内部に、複数の記憶領域１２があり、さらに該複数の記憶領域に同時に記録可能なコネクタ１１を有しているところが特徴である。該構成にすることで、書き込み読み出し特性や、データ記憶容量が同じ記憶手段を複数使用できるため、撮影装置として書き込み性能が安定する。
【０１０７】
さらにデータ蓄積容量を等しくできるため、特定の第２メモリに偏ったデータ記録にならず、複数の第２メモリにデータが均等に格納されるようになり、長時間第２メモリ一括使用の特性が享受できる。すなわち、記録待機時間短縮や連続撮影こま数の増加が維持される。
【０１０８】
以上説明したのは、撮影装置で撮影した画像を含むデータを、撮影装置自身に接続された不揮発性メモリである第２メモリへ格納した場合を示したが、例えば２台の撮影装置が有線または無線でデータ転送可能に接続されており、撮影装置Ａで撮影した画像を含むデータを、もう一方の撮影装置Ｂのバッファに転送後、該撮影装置Ｂの複数の第２メモリに対して本発明の記録方法を用いても構わない。
【図面の簡単な説明】
【０１０９】
【図１】本発明の撮影装置を表した電気ブロック図
【図２】本発明のシステムスイッチの詳細図
【図３】本発明のメインシーケンスのフローチャート
【図４】本発明のシステムスイッチのフローチャート
【図５】本発明の再生処理のフローチャート
【図６】本発明の連続撮影処理のフローチャート
【図７】本発明の撮影処理フローチャート
【図８】本発明の現像圧縮処理フローチャート
【図９】本発明の連続現像圧縮処理のフローチャート
【図１０】本発明の記録媒体書き込み処理のフローチャート
【図１１】本発明のフローを実行した際の５枚連続撮影時タイミングチャート
【図１２】本発明のフローを実行した際の連続撮影時タイミングチャート
【図１３】本発明の応用例を示した電気ブロック図
【符号の説明】
【０１１０】
１  撮影レンズ
２  撮影手段
３  バッファメモリ
４  電源
５  制御手段
６  画像処理手段
７  画像圧縮手段
８  コネクタ
９  第２メモリＡ
１０  第２メモリＢ
１１  コネクタ部
１２  不揮発性記憶手段
１３  ＤＡＣ
１４  表示手段
１５  マイク
１６  音声処理手段
１７  撮影装置のメインスイッチ
１８  撮影のためのレリーズスイッチ
１９  コネクタ
２０  スピーカ
２１  無線通信手段
２２  システムスイッチ
２３  その他のスイッチ
２４  記憶手段
２５  不揮発性記憶手段
【図１】
2006174252.tif 000003
【図２】
2006174252.tif 000004
【図３】
2006174252.tif 000005
【図４】
2006174252.tif 000006
【図５】
2006174252.tif 000007
【図６】
2006174252.tif 000008
【図７】
2006174252.tif 000009
【図８】
2006174252.tif 000010
【図９】
2006174252.tif 000011
【図１０】
2006174252.tif 000012
【図１１】
2006174252.tif 000013
【図１２】
2006174252.tif 000014
【図１３】
2006174252.tif 000015